(57)【要約】【課題】防水下地を傷めずに、改修防水シートを安定して着実に固定できるようにする。【解決手段】防水下地２上に固定された防水シート固定金具３の上面に接着材で防水シート４を固定してある防水層Ｐ１を改修する防水層改修方法であって、防水シート４の固定部上で防水シート固定具３と重なる位置に、改修防水シート９の固定用プレート１０を載置し、防水シート固定金具３と固定用プレート１０とを機械的に連結し、固定用プレート１０の上面に接着材で改修防水シート９を固定して新防水層を形成する。【選択図】図５
2011080212.tif 000002
【特許請求の範囲】
【請求項１】
防水下地上に固定された防水シート固定金具の上面に接着材で防水シートを固定してある防水層を改修する防水層改修方法であって、
前記防水シートの固定部上で前記防水シート固定具と重なる位置に、改修防水シートの固定用プレートを載置し、
前記防水シート固定金具と前記固定用プレートとを機械的に連結し、
前記固定用プレートの上面に接着材で前記改修防水シートを固定して新防水層を形成する防水層改修方法。
【請求項２】
防水下地上に固定された防水シート固定金具の上面に接着材で防水シートを固定してある防水層を改修する防水層改修方法であって、
前記防水シート上に改修防水シートを重ね、前記改修防水シート上で前記防水シート固定金具と重なる位置に、前記改修防水シートの固定用プレートを載置し、
前記防水シート固定金具と前記固定用プレートとを機械的に連結し、
前記固定用プレートをその径方向の外側まで覆う防水カバーを、前記固定用プレート上に載置し、
前記固定用プレートの全外周に沿って前記防水カバーと前記改修防水シートとを接着して新防水層を形成する防水層改修方法。
【請求項３】
防水シート固定金具と固定用プレートとを、リベットで機械的に連結する請求項１または２に記載の防水層改修方法。
【請求項４】
防水シート固定金具と固定用プレートとを、タッピンネジで機械的に連結する請求項１または２に記載の防水層改修方法。
【請求項５】
防水下地上に固定された防水シート固定金具の上面に接着材で第１防水シートを固定し、
前記第１防水シートの固定部上で前記防水シート固定具と重なる位置に、第２防水シートの固定用プレートを載置した状態で、前記防水シート固定金具と前記固定用プレートとを機械的に連結してあり、
前記固定用プレートの上面に接着材で前記第２防水シートを固定してある防水構造。
【発明の詳細な説明】
【技術分野】
【０００１】
防水下地上に固定された防水シート固定金具の上面に接着材で防水シートを固定してある防水層を改修する防水層改修方法及び防水構造に関する。
【背景技術】
【０００２】
従来、防水層を改修するのに、図８に示すように、既設の防水シート４上で複数の防水シート固定部間に、新設防水シート固定金具３を配置して、防水シート４を貫通するビスで新設防水シート固定金具３を防水下地２に固定し、新設防水シート固定金具３の上面に接着材で改修防水シート９を固定して新防水層を形成する防水層改修方法が採られていた。
しかし、この方法の場合、防水下地２にさらにビスを取り付けるための穴を開ける事になり、防水下地２の強度に悪影響を与える虞があり、他の方法が望まれている。
そこで、図９に示すように、防水シート４の固定部の外周に切れ目を入れて切り抜き、切り抜き部分の防水シート４を防水シート固定金具３から取り除いた後、防水シート固定金具３上面に、ホットメルト接着用シート８を配置した状態で、改修用の改修防水シート９を敷設しその改修防水シート９の上方から電磁加熱によって、防水シート固定金具３を加熱することによって、ホットメルト接着用シート８を融かして改修防水シート９を防水シート固定金具３に接着して新防水層を形成する方法（特許文献１参照）が考えられている。
【先行技術文献】
【特許文献】
【０００３】
【特許文献１】特開２００２−８８９８６号公報
【発明の概要】
【発明が解決しようとする課題】
【０００４】
上述した従来の改修方法では、防水シート固定金具３から切り抜き部分の防水シート４を取り除く際に、防水シート固定金具３上の接着材の種類によっては全てきれいに取り除くことは困難で、防水シート固定金具３上面が凹凸になりやすく、ホットメルト接着用シート８を介しての改修防水シート９の固定に不備が生じる虞があった。
【０００５】
従って、本発明の目的は、上記問題点を解消し、防水下地を傷めずに、改修防水シートを安定して着実に固定できる改修方法及びその改修方法を使った防水構造を提供するところにある。
【課題を解決するための手段】
【０００６】
本発明の改修方法の第１の特徴構成は、防水下地上に固定された防水シート固定金具の上面に接着材で防水シートを固定してある防水層を改修する防水層改修方法であって、
前記防水シートの固定部上で前記防水シート固定具と重なる位置に、改修防水シートの固定用プレートを載置し、
前記防水シート固定金具と前記固定用プレートとを機械的に連結し、
前記固定用プレートの上面に接着材で前記改修防水シートを固定して新防水層を形成するところにある。
【０００７】
本発明の第１の特徴構成によれば、防水下地に既に固定されている防水シート固定金具と防水シート上に載置した固定用プレートとを機械的に連結することにより、固定用プレートは、防水下地に新たにビスなどの固定のための穴を開けることなく、安定的に防水シート固定金具に固定される。
そして、防水シート固定金具と一体となった固定用プレートの上面に接着材で改修防水シートを固定して新防水層を形成することにより、既設の防水シートを取り除いて廃棄処分する必要なく防水層の改修ができ、産廃処理などのコストを要することなく経済的に施工できる。
【０００８】
本発明の第２の特徴構成は、防水下地上に固定された防水シート固定金具の上面に接着材で防水シートを固定してある防水層を改修する防水層改修方法であって、前記防水シート上に改修防水シートを重ね、前記改修防水シート上で前記防水シート固定金具と重なる位置に、前記改修防水シートの固定用プレートを載置し、前記防水シート固定金具と前記固定用プレートとを機械的に連結し、前記固定用プレートをその径方向の外側まで覆う防水カバーを、前記固定用プレート上に載置し、前記固定用プレートの全外周に沿って前記防水カバーと前記改修防水シートとを接着して新防水層を形成するところにある。
【０００９】
本発明の第２の特徴構成によれば、防水下地に既に固定されている防水シート固定金具と改修防水シート上に載置した固定用プレートとを機械的に連結することにより、固定用プレートは、防水下地に新たにビスなどの固定のための穴を開けることなく、安定的に防水シート固定金具に固定されると同時に、固定用プレートで改修防水シートが固定される。
そして、固定用プレートを改修防水シートと接着した防水カバーで径方向の外側まで覆うことにより、固定用プレートを防水シート固定金具に機械的に連結する部分の防水が可能となる。そのために、既設の防水シートを取り除いて廃棄処分する必要なく防水層の改修ができ、産廃処理などのコストを要することなく経済的に施工できる。
【００１０】
本発明の第３の特徴構成は、前記第１または２の改修方法において、防水シート固定金具と固定用プレートとを、リベットで機械的に連結するところにある。
【００１１】
本発明の第３の特徴構成によれば、リベットにより防水シート固定金具と固定用プレートとを、強固に固定できる。
【００１２】
本発明の第４の特徴構成は、前記第１または２の改修方法において、防水シート固定金具と固定用プレートとを、タッピンネジで機械的に連結するところにある。
【００１３】
本発明の第４の特徴構成によれば、防水シート固定金具と固定用プレートとを、タッピンネジで簡単に連結でき、施工性が向上する。
【００１４】
本発明の第５の特徴構成における防水構造は、防水下地上に固定された防水シート固定金具の上面に接着材で第１防水シートを固定し、前記第１防水シートの固定部上で前記防水シート固定具と重なる位置に、第２防水シートの固定用プレートを載置した状態で、前記防水シート固定金具と前記固定用プレートとを機械的に連結してあり、前記固定用プレートの上面に接着材で前記第２防水シートを固定してあるところにある。
【００１５】
本発明の第５の特徴構成によれば、第１防水シートの上に第２防水シートが重なり、その第２防水シートが第１防水シートを固定する防水シート固定金具に機械的に連結した固定プレートにより接着材で固定されているために、２重防水構造で、より防水性能が向上する。
【図面の簡単な説明】
【００１６】
【図１】防水層の形成状況を示す斜視図である。
【図２】防水シート固定金具を示す斜視図である。
【図３】防水シート固定金具の断面図である。
【図４】防水層の形成状況を示す断面図である。
【図５】防水層の改修状況を示す断面図である。
【図６】別実施例の防水層の改修状況を示す断面図である。
【図７】別実施例の防水層の改修状況を示す断面図である。
【図８】従来の防水層の改修状況を示す断面図である。
【図９】別の従来の防水層の改修状況を示す断面図である。
【発明を実施するための形態】
【００１７】
以下に本発明の実施の形態を図面に基づいて説明する。
【００１８】
図１は、本発明の防水層改修方法を実施する前の建物の屋上スラブ１を示す斜視図で、鉄筋コンクリート製のスラブ本体（防水下地に相当）２上に、防水シート固定金具３を介して防水シート４を接着して防水層Ｐ１を形成してある状況を示すものである。
【００１９】
前記スラブ本体２は、当該実施形態においては、上述のように屋上部分のスラブに該当し、鉄筋コンクリート構造のスラブの他、ＡＬＣ板を敷き並べて形成したスラブや、デッキプレートや金属折板とコンクリートを組み合わせて形成したスラブや、更には、それらの上に断熱層を積層させたもの等、様々な実施形態が挙げられる。
そして、スラブ本体２は、前記防水シート固定金具３を固定するためのビスＢを、樹脂プラグ等のホールインアンカー１７を介して抜け止め状態に支持できるものであることが好ましい。
【００２０】
前記防水シート固定金具３は、例えば、図２・３に示すように、直径５０〜１００ｍｍ程度のステンレス鋼製円板の上面に、防水シートに対する接着材としてポリエステル樹脂等の溶けて接着性を発揮する熱可塑性合成樹脂からなるホットメルト接着層Ｈを被覆したワッシャ本体３Ａによって構成してある。
また、ワッシャ本体３Ａはその中心にビス固定用の座繰り凹部５Ａ、及び、その底部分に固定用ビスＢの取付孔６が形成され、ワッシャ本体３Ａの上面は、座繰り凹部５Ａの周りに所定幅隔てて環状凹部５Ｂが形成されている。
尚、ワッシャ本体３Ａは、板金をプレス加工して図のような起伏形状に成形されており、前記座繰り凹部５Ａや環状凹部５Ｂ等の凹部５を形成してあることによって、平板のままより断面二次モーメントが増加し、薄板であっても強度の高いワッシャ本体を構成することが可能となっている。
また、前記ワッシャ本体３Ａの上面は、上述のホットメルト接着層Ｈを被覆して接着部７として構成してある。
そして、ワッシャ本体３Ａは、スラブ本体２上に、縦横に所定の間隔を開けた各位置に配置され、前記取付孔６を通してビス止めしてある。
【００２１】
前記防水シート４は、例えば、ＰＶＣシートによって構成してあり、工場で所定幅寸法の長尺体防水シートを巻き取ってロール体を形成しておき、そのロール体を現場で広げながら配置し、隣接する各防水シート４相互の側縁部どうしを接着することで大面積の防水シートとすることができる。勿論、予め、敷設する対象面積に合わせて一体品の防水シートを形成しておくものであってもよいし、また、素材に関しても、ＰＶＣ以外にも、ゴムやＴＰＥ（サーモ・プラスチック・エラストマ）製のシート、又は、その他の素材からなる防水シートであってもよい。
【００２２】
そして、スラブ本体２への防水シート４の固定は、ワッシャ本体３Ａの上に被さった防水シート４部分上方に磁気加熱装置をセットして、ワッシャ本体３Ａを磁気加熱することによって、前記ホットメルト接着層Ｈを溶かし、ワッシャ本体３Ａと防水シート４とを接着することができる（図１・４参照）。
【００２３】
以上のような防水層Ｐ１も、耐久年が経過するに伴って、改修する必要があり、図５は、本発明の防水層改修方法を実施した後の屋上スラブ１を示す断面図である。
【００２４】
つまり、防水下地２上に固定された防水シート固定金具３の上面に接着材で既設の防水シート４として第１防水シートが固定してあり、その第１防水シート４の固定部上で防水シート固定金具３と重なる位置に、改修防水シート９の固定用プレート１０を載置した状態で、防水シート固定金具３と固定用プレート１０とを、リベット１１で機械的に連結してあり、固定用プレート１０の上面に接着材で改修防水シートとして第１防水シート４と同材質の第２防水シート９を固定して新防水層を形成してある。
【００２５】
前記防水層Ｐ１の改修手順について説明する（図５参照）。
１．第１防水シート４の上面に、新防水層を形成するために、第２防水シート９を重ねて固定するに、第２防水シート９中の可塑剤が第１防水シート４に移行しないように、絶縁シート１２を載置し、第１防水シート４の固定部上で防水シート固定具３と重なる位置に、第２防水シート９の固定用プレート１０を載置する。なお、固定用プレート１０は、防水シート固定金具３を上方から覆うことができる大きさの金属製の円盤に、リベット１１の軸部を挿通させるための貫通孔１３を形成した座繰り部１４を、円周方向に３箇所設け、その上面には、接着材として熱可塑性合成樹脂からなるホットメルト接着層１５を被覆してある。
２．  防水シート固定金具３と固定用プレート１０とを、機械的に連結するために、固定用プレート１０の貫通孔１３に対応させて、絶縁シート１２と第１防水シート４及び防水シート固定金具３にドリルでリベット挿通用の孔１６を穿ち、それらの孔１６及び貫通孔１３にリベット１１を挿通させた後、リベット専用工具でリベット１１を加締めにより座屈変形させて防水シート固定金具３に固定用プレート１０を一体連結する。
３．絶縁シート１２と第１防水シート４及び固定用プレート１０の上に重なるように、新しい改修防水シートとしての第２防水シート９を載置する。
４．固定用プレート１０を電磁誘導加熱機で、発熱昇温させ、固定用プレート１０の上面に設けたホットメルト接着層１５を融かし、第２防水シート９をホットメルト接着層１５を介して固定して新防水層を形成する。
【００２６】
〔別実施形態〕
以下に他の実施の形態を説明する。
【００２７】
〈１〉  第１防水シート４をスラブ本体２に固定するのに、円盤状の防水シート固定金具３に代えて、図６に示すように、長尺板状の防水シート固定金具３を使用する場合であっても良く、この場合は、固定用プレート１０も防水シート固定金具３に対応した長さのフラットバー状のプレートに形成してあるものを使用する。
〈２〉  新防水層を形成するのに、図７に示すように防水シート４上に、絶縁シート１２及び改修防水シート９を重ね、改修防水シート９上で防水シート固定金具３と重なる位置に、改修防水シート９の固定用プレート１０を載置し、防水シート固定金具３と固定用プレート１０とを機械的にリベット等で連結し、固定用プレート１０をその径方向の外側まで覆う防水カバー１８を、固定用プレート１０上に載置し、固定用プレート１０の全外周に沿って防水カバー１８と改修防水シート９とを接着してもよい。この場合、改修防水シート９はその上から固定用プレート１０で確実に固定される。
〈３〉  防水シート固定金具３と固定用プレート１０との連結は、リベット１１に代えて、タッピンネジを使用して一体に連結するようにしてあっても良い。
〈４〉  前記接着材としては、ホットメルト接着材に代えて、防水シートと同様の樹脂からなる塩ビ系接着材などの合成樹脂系接着材の他、ゴム系の接着材を使用してもよい。
〈５〉  防水下地は、コンクリートスラブの他に、木下地や金属パネルからなる下地を含み、それら防水下地へのビスＢの固定は、各下地に応じて適宜選択できる。
【００２８】
尚、上述のように、図面との対照を便利にするために符号を記したが、該記入により本発明は添付図面の構成に限定されるものではない。また、本発明の要旨を逸脱しない範囲において、種々なる態様で実施し得ることは勿論である。
【符号の説明】
【００２９】
２      防水下地
３      防水シート固定金具
４      防水シート(第１防水シート)
９      改修防水シート(第２防水シート)
１０    固定用プレート
１１    リベット
Ｐ１    防水層
【図１】
2011080212.tif 000003
【図２】
2011080212.tif 000004
【図３】
2011080212.tif 000005
【図４】
2011080212.tif 000006
【図５】
2011080212.tif 000007
【図６】
2011080212.tif 000008
【図７】
2011080212.tif 000009
【図８】
2011080212.tif 000010
【図９】
2011080212.tif 000011